(57)【要約】【課題】パイプ接合装置を提供すること。【解決手段】継手本体を含み、前記継手本体の端部にパイプ連結装置が設けられるパイプ接合装置であって、前記パイプ連結装置は摺動座と係止歯と復帰ばねとばね座金と係止リングとを含み、前記摺動座が継手本体内に摺設され、前記継手本体内に係止溝が設けられ、前記係止リングが係止溝内に係着され、かつ摺動座と係合され；前記復帰ばねの一端は、ばね座金に当接され、他端が摺動座に当接され；前記ばね座金は、継手本体内に固設され；前記摺動座上に内外端面を貫通する複数の貫通部が均一に分布され、前記係止歯は貫通部内に設けられ、かつその上の歯部が摺動座の内壁に入り込むと共にパイプ外周面と係着でき；前記継手本体の内壁上に係止歯を動かせるための遊動部が開設される。本発明は、着脱に便利で、緊結やシール性に優れ、寿命も長くなる利点がある。【選択図】  図１
2019086148.tif 000002
【特許請求の範囲】
【請求項１】
継手本体（１０）を含み、前記継手本体（１０）の端部にパイプ連結装置が設けられるパイプ接合装置であって、
前記パイプ連結装置は、摺動座（２０）と係止歯（２１）と復帰ばね（２２）とばね座金（２３）と係止リング（２４）とを含み、前記摺動座（２０）が前記継手本体（１０）内に摺設され、前記継手本体（１０）内に係止溝（１１）が設けられ、前記係止リング（２４）が前記係止溝（１１）内に係着され、かつ前記摺動座（２０）と係合され；前記復帰ばね（２２）の一端は、前記ばね座金（２３）に当接され、他端が前記摺動座（２０）に当接され；前記ばね座金（２３）は、前記継手本体（１０）内に固設され；前記摺動座（２０）上に内外端面を貫通する複数の貫通部（２０１）が均一に配置され、前記係止歯（２１）は前記貫通部（２０１）内に設けられ、かつその上の歯部（２１１）が前記摺動座（２０）の内壁に入り込むと共にパイプ外周面と係着でき；前記継手本体（１０）の内壁上に前記係止歯（２１）を動かせるための遊動部（１２）が開設される
ことを特徴とするパイプ接合装置。
【請求項２】
支持座金（３０）と第１シールリング（３１）とを更に含み、前記支持座金（３０）は、前記継手本体（１０）内に固設され、前記第１シールリング（３１）の一端が前記支持座金（３０）上に当接され、他端が前記ばね座金（２３）の端面と当接する
請求項１に記載のパイプ接合装置。
【請求項３】
前記支持座金（３０）と前記継手本体（１０）の内底面との間に第２シールリング（３２）が設けられ、前記第２シールリング（３２）の一端は前記支持座金（３０）の端面に当接され、他端が前記継手本体（１０）の内底面と当接する
請求項１に記載のパイプ接合装置。
【請求項４】
前記継手本体（１０）内の前記遊動部（１２）は、下向きに傾斜する斜面である
請求項３に記載のパイプ接合装置。
【請求項５】
前記ばね座金（２３）上に凸台部（２３１）が設けられ、前記摺動座（２０）の端面に凸起部（２０２）が設けられ、前記復帰ばね（２２）の一端は前記凸台部（２３１）上に挿嵌され、他端が前記凸起部（２０２）上に挿嵌される
請求項４に記載のパイプ接合装置。
【発明の詳細な説明】
【技術分野】
【０００１】
本発明は、連接装置の技術分野に関り、特に、パイプ接合装置に関する。
【背景技術】
【０００２】
現在、パイプ連結において大半継手でパイプを連結する必要があり、現有のパイプユニオンの多くもねじ込み式又は環形接合式で緊結されているが、このような継手の装着及び取り外しは比較的煩わしく、使用中においても緩みやすく、シール性に劣り、かつ環形接合の連結強度も比較的悪く、寿命も短いため、改善の必要があった。
【発明の概要】
【発明が解決しようとする課題】
【０００３】
本発明は、上記従来技術の不足について、着脱に便利で、緊結やシール性に優れ、寿命も長いという特長を持つパイプ接合装置を提供することを目的とする。
【課題を解決するための手段】
【０００４】
上記目的を達成するため、本発明の技術的手段としては、継手本体を含み、前記継手本体の端部にパイプ連結装置が設けられるパイプ接合装置であって、前記パイプ連結装置は摺動座と係止歯と復帰ばねとばね座金と係止リングとを含み、前記摺動座が継手本体内に摺設され、前記継手本体内に係止溝が設けられ、前記係止リングが係止溝内に係着され、かつ摺動座と係合され；前記復帰ばねの一端は、ばね座金に当接され、他端が摺動座に当接され；前記ばね座金は、継手本体内に固設され；前記摺動座上に内外端面を貫通する複数の貫通部が均一に配置され、前記係止歯は貫通部内に設けられ、かつその上の歯部が摺動座の内壁に入り込むと共にパイプ外周面と係着でき；前記継手本体の内壁上に係止歯を動かせるための遊動部が開設される。
【０００５】
好ましくは、支持座金と第１シールリングとを更に含み、前記支持座金は、継手本体内に固設され、前記第１シールリングの一端が支持座金上に当接され、他端がばね座金の端面と当接する。
【０００６】
前記支持座金と継手本体の内底面との間に第２シールリングが設けられ、前記第２シールリングの一端は支持座金の端面に当接され、他端が継手本体の内底面と当接する。
【０００７】
前記継手本体内の遊動部は、下向きに傾斜する斜面である。
【０００８】
前記ばね座金上に凸台部が設けられ、前記摺動座の端面に凸起部が設けられ、前記復帰ばねの一端は凸台部上に挿嵌され、他端が凸起部上に挿嵌される。
【発明の効果】
【０００９】
上記構造を用いた後、本発明は、従来技術に比べると、次の利点を有する。すなわち、本発明は、係止歯上の歯部を通じてパイプと係着し、このような係着方式が従来技術より緊結、安定し、かつ摺動座を押すとパイプの着脱を行うことができ、使用利便性に優れる。
【図面の簡単な説明】
【００１０】
【図１】本発明の使用状態の平面構造を示す模式図
【図２】本発明の摺動座の構造を示す模式図
【図３】本発明の係止歯の平面構造を示す模式図
【発明を実施するための形態】
【００１１】
以下に述べたのは、本発明の好ましい実施例であって、本発明の保護範囲を限定するものではない。以下に、添付図面と実施例を組み合わせて、本発明について更なる説明を行う。
【００１２】
図１〜３のように、パイプ接合装置であって、継手本体１０を含み、継手本体１０は両端が貫通する構造で、ソケット構造又はエルボ構造とすることができる。継手本体１０の端部にパイプ連結装置が設けられ、パイプ連結装置は、摺動座２０と係止歯２１と復帰ばね２２とばね座金２３と係止リング２４とを含み、摺動座２０が継手本体１０内に摺設され、かつその中にパイプを通過させる貫通孔を備え；継手本体１０内に係止溝１１が設けられ、係止リング２４が係止溝１１内に係着され、摺動座２０上に係止リング２４と係着する係着端面２０３を有し、こうして使用時、該係着端面２０３を通じて係止リング２４と係着して固定することで、摺動座２０が継手本体１０から滑り出すのを防止する。ばね座金２３は、継手本体１０内に固設され、ばね座金２３上に凸台部２３１が設けられ、摺動座２０の前端面に凸起部２０２が設けられ、復帰ばね２２の一端は凸台部２３１上に挿嵌され、他端が凸起部２０２上に挿嵌され、復帰ばね２２は摺動座２０が摺動した後で元の位置に戻させることができ、すなわち、弾力を通じて摺動座２０上の係着端面２０３を係止リング２４に当接させる。摺動座２０上に内外端面を貫通する複数の貫通部２０１が均一に配置され、貫通部２０１内に段を有し、係止歯２１上にも同様に段を有し、段の間が互いに密着し；係止歯２１の外側面は、傾斜構造であり、貫通部２０１内に係着され、係止歯２１上の歯部２１１が摺動座２０の内壁に入り込むと共にパイプの外周面と係着でき；このような歯部２１１がパイプの外周面と係着する構造は、従来の構造に比べると、より一層安定し、寿命もより長くなる。継手本体１０の内壁上に係止歯２１を動かせるための遊動部１２が開設し、遊動部１２は下向きに傾斜する斜面で、内向きに摺動座２０が押された時、貫通部２０１が係止歯２１を下向きに回転するよう押動すると共に斜面内まで回転し、こうして歯部２１１と管路の外周面を分離させることができるため、楽々とパイプを取り外すことができ；パイプを装着する時、同様に摺動座２０を内向きに押して係止歯２１を遊動部１２内までに回転させ、この時歯部２１１が貫通部２０１内に没入し、パイプを挿入した後、摺動座２０を緩み、復帰ばね２２の作用下で、摺動座２０が外側に向けて移動し、同時に貫通部２０１が係止歯２１を元の位置に戻らせると共に歯部２１１をパイプの外周面に係止させ、摺動座２０が一定距離を移動した後、その上の係着端面２０３が係止リング２４と係着できることで、固定の役目を果たす。
【００１３】
継手本体１０内に支持座金３０、第１シールリング３１及び第２シールリング３２を有し、支持座金３０は継手本体１０内に固設され、第１シールリング３１の一端が支持座金３０上に当接され、他端がばね座金２３の端面と当接し；第２シールリング３２の一端は、支持座金３０の端面に当接され、他端が継手本体１０の内底面と当接し、第１シールリング３１及び第２シールリング３２が使用時継手のシール性を増強できる。
【産業上の利用可能性】
【００１４】
本発明によると、パイプの係着が安定し、またパイプの着脱が容易であるので、産業上有用である。
【図１】
2019086148.tif 000003
【図２】
2019086148.tif 000004
【図３】
2019086148.tif 000005